(57)【要約】【課題】印刷中に次の印刷のための版交換ができるようにする。【解決手段】  互いに転接する印刷胴と圧胴５とからなり、圧胴の周面の一部にニップ開放部となる小径部を設けた複数組の印刷ユニット１ａ，１ｂ，１ｃと、各印刷ユニットの印刷胴と圧胴の間に用紙２を間欠的に走行させる間欠送り装置６ａ，６ｂとからなるバリアブル印刷機において、各印刷ユニットの印刷胴に個々に回転制御可能にした駆動モータ７ｃ，７ｄ，７ｅを連結すると共に、それぞれの印刷胴と圧胴とをクラッチ１３を介して連結した。そして印刷中に版の交換の必要な印刷ユニットの圧胴を、これの小径部５ｂが用紙２に対向する状態でクラッチ１３をＯＦＦにして停止してから印刷胴を駆動モータにて回転して版交換し、その後、印刷胴を上記クラッチをＯＦＦにしたときの位相に戻すと共に、他の印刷ユニットと位相が合う状態で再度クラッチをＯＮにする。【選択図】図１
2005067121.tif 000002
【特許請求の範囲】
【請求項１】
互いに転接する印刷胴と圧胴とからなり、圧胴の周面の一部にニップ開放部となる小径部を設けた複数組の印刷ユニットと、各印刷ユニットの印刷胴と圧胴の間に用紙を間欠的に走行させる間欠送り装置とからなるバリアブル印刷機において、
各印刷ユニットの印刷胴に個々に回転制御可能にした駆動モータを連結すると共に、それぞれの印刷胴と圧胴とをクラッチを介して連結した
ことを特徴とするバリアブル印刷機。
【請求項２】
互いに転接する印刷胴と圧胴とからなり、圧胴の周面の一部にニップ開放部となる小径部を設けた複数組の印刷ユニットの印刷胴と圧胴の間に、各印刷ユニットの印刷作動に同期して用紙を間欠送り装置にて間欠送りしてバリアブル印刷を行うバリアブル印刷機の版交換方法において、
各印刷ユニットの印刷胴を個々に回転制御可能にした駆動モータにて回転駆動すると共に、それぞれの印刷胴に対して圧胴をクラッチを介して連結し、
印刷中に版の交換の必要な印刷ユニットの圧胴を、これの小径部が用紙に対向する状態でクラッチをＯＦＦにして停止してから印刷胴を駆動モータにて回転して版交換し、その後、印刷胴を上記クラッチをＯＦＦにしたときの位相に戻すと共に、他の印刷ユニットと位相が合う状態で再度クラッチをＯＮにする
ことを特徴とするバリアブル印刷機の版交換方法。
【発明の詳細な説明】
【技術分野】
【０００１】
本発明は、複数の印刷ユニットを有するバリアブル印刷機で、特に、この各印刷ユニットの版交換を機械を停止することなく行うことができるようにしたバリアブル印刷機及びこれの版交換方法に関するものである。
【背景技術】
【０００２】
バリアブル印刷機は、一定の回転速度で回転駆動される複数組の印刷ユニットを用紙の走行ライン上に配置した印刷部と、この印刷部の上流側と下流側に、この印刷部に対して用紙を間欠的に送るために配置した間欠送り装置とからなっている（例えば、特許文献１参照）。そして従来のこの種のバリアブル印刷機にあっては、印刷胴の刷版を変える際には、機械全体を停止すると共に用紙を装置内から除去して行うようになっていた。
【０００３】
【特許文献１】特開２００３−３９６３０号公報
【発明の開示】
【発明が解決しようとする課題】
【０００４】
上記従来のバリアブル印刷機では、版交換の度に機械を停止させなければならないため、版交換を伴う印刷準備に時間が掛かり生産効率が悪かった。また、機械を停止することで、印刷及び見当等が再度安定するまでの調整印刷が必要になり、損紙量が増加し、さらにインキ等の一般消耗品の使用量が増加する等の問題があった。
【０００５】
本発明は上記のことに鑑みなされたもので、印刷中に次の印刷のための版交換ができるようにして上記した従来の問題を解決できるようにしたバリアブル印刷機及びこのバリアブル印刷機の版交換方法を提供することを目的とするものである。
【課題を解決するための手段】
【０００６】
上記目的を達成するために、本発明に係るバリアブル印刷機は、互いに転接する印刷胴と圧胴とからなり、圧胴の周面の一部にニップ開放部となる小径部を設けた複数組の印刷ユニットと、各印刷ユニットの印刷胴と圧胴の間に用紙を間欠的に走行させる間欠送り装置とからなるバリアブル印刷機において、各印刷ユニットの印刷胴に個々に回転制御可能にした駆動モータを連結すると共に、それぞれの印刷胴と圧胴とをクラッチを介して連結した構成になっている。
【０００７】
また、本発明に係るバリアブル印刷機の版交換方法は、互いに転接する印刷胴と圧胴とからなり、圧胴の周面の一部にニップ開放部となる小径部を設けた複数組の印刷ユニットの印刷胴と圧胴の間に、各印刷ユニットの印刷作動に同期して用紙を間欠送り装置にて間欠送りしてバリアブル印刷を行うバリアブル印刷機の版交換方法において、各印刷ユニットの印刷胴を個々に回転制御可能にした駆動モータにて回転駆動すると共に、それぞれの印刷胴に対して圧胴をクラッチを介して連結し、印刷中に版の交換の必要な印刷ユニットの圧胴を、これの小径部が用紙に対向する状態でクラッチをＯＦＦにして停止してから印刷胴を駆動モータにて回転して版交換し、その後、印刷胴を上記クラッチをＯＦＦにしたときの位相に戻すと共に、他の印刷ユニットと位相が合う状態で再度クラッチをＯＮにするようにしている。
【発明の効果】
【０００８】
本発明によれば、複数組の印刷ユニットの任意の印刷ユニットの版交換を、他の印刷ユニットの印刷作動中に行うことができるため、版交換を伴う印刷準備に要する時間を短縮することができて生産効率を高めることができる。そして機械を停止しないで次の印刷のための版交換を行うことができると共に、その後の印刷胴を他の印刷胴の位相に合わせて再駆動することで、印刷及び見当等が安定するまでの時間が短くなって損紙が減少すると共に、インキ等の一般消耗品のムダな使用量を少なくすることができる。
【発明を実施するための最良の形態】
【０００９】
図１は本発明に係るバリアブル印刷機の要部を示すもので、図中１ａ，１ｂ，１ｃは用紙２の走行ライン上の印刷部に複数組配置されるバリアブル印刷用の印刷ユニットであり、この各印刷ユニット１ａ，１ｂ，１ｃのそれぞれはオフセット型で、互いに転接して逆方向に回転する版胴３とブランケット胴４と圧胴５とからなり、版胴３に図示しないインキ装置のロールが転接されている。
【００１０】
版胴３とブランケット胴４と圧胴５のそれぞれの周面には、同一周長の大径部３ａ，４ａ，５ａと、小径部３ｂ，４ｂ，５ｂが設けてあり、各大径部が相互に接転してニップ部を構成し、また各小径部がニップ開放部となっている。そして版胴３の大径部３ａに刷版が装着されるようになっており、またブランケット胴４の大径部の周面にブランケットが装着されている。なお、断面形状が円形の版胴、ブランケット胴に刷版、ブランケットを取り付けることによりそれぞれの大径部とし、他の部分を小径部としてもよい。
【００１１】
各印刷ユニット１ａ，１ｂ，１ｃのブランケット胴４と圧胴５の間を通る用紙２は、これの上流側と下流側に設けられると共に、それぞれ単独の駆動モータ７ａ，７ｂにて同期駆動されるようにした間欠送り装置６ａ，６ｂにて間欠走行されるようになっている。
【００１２】
各印刷ユニット１ａ，１ｂ，１ｃの版胴３とブランケット胴４と圧胴５のそれぞれは互いに歯車結合されていて各胴が等速回転するようになっている。そして各印刷ユニット１ａ，１ｂ，１ｃのそれぞれは単独の駆動モータ７ｃ，７ｄ，７ｅにて駆動されるようになっている。この印刷ユニット１ａ，１ｂ，１ｃを駆動する各駆動モータ７ｃ〜７ｅは図示しない制御装置にて個々に回転制御可能になっている。
【００１３】
上記印刷ユニット１ａ，１ｂ，１ｃのそれぞれの版胴３とブランケット胴４と圧胴５の連結機構は図２に示すようになっていて、各胴の軸は軸受８ａ，８ｂ，８ｃを介してフレーム９に支持されている。そして版胴３とブランケット胴４の各軸には互いに噛み合う歯車１０，１１が固着されており、また圧胴５の軸にはブランケット胴４側の歯車１１と噛み合う歯車１２が回転自在に支持されている。この歯車１２はフレーム９側に支持された電磁クラッチ１３を介して圧胴５の軸に係脱可能に結合されるようになっている。そしてこの電磁クラッチ１３をＯＦＦにすることにより圧胴５が自由状態になって印刷ユニットが休止状態となるようになっている。上記各印刷ユニット１ａ，１ｂ，１ｃの各版胴３の歯車１０にそれぞれ単独に制御可能にした駆動モータ７ａ，７ｂ，７ｃの出力軸に固着した出力歯車１４が噛み合わされている。
【００１４】
図１は３組の印刷ユニット１ａ，１ｂ，１ｃのうち、例えば、第１・第２の印刷ユニット１ａ，１ｂが印刷稼動中であり、第３の印刷ユニット１ｃが、これの電磁クラッチ１３をＯＦＦにすると共に、圧胴５の小径部をブランケット胴４側に向けた状態で休止されている状態を示す。
【００１５】
この状態で第１・第２の印刷ユニット１ａ，１ｂを各駆動モータ７ｃ，７ｄにて同期駆動すると共に、これと同期して間欠送り装置６ａ，６ｂにて用紙２を間欠送りすることにより、用紙２にバリアブル印刷がなされる。
【００１６】
すなわち、印刷ユニット１ａ，１ｂの作動に同期して間欠送り装置６ａ，６ｂが間欠作動して、用紙２は印刷ユニット１ａ，１ｂのブランケット胴４の大径部にて印刷される画像の天地方向長さにわたって前進方向に走行され、ブランケット胴４の小径部に対向する状態で停止、あるいは逆方向に走行されて用紙２は間欠送りされ、この用紙２には上記ブランケットによる画像が余計な空白が天地方向に生じることなく繰り返し印刷されてバリアブル印刷が行われる。
【００１７】
このときにおいて、上記印刷稼動中にもかかわらず、上記休止中の印刷ユニット１ｃの版胴３の版を交換できる。すなわち、この第３の印刷ユニット１ｃの圧胴５の小径部５ｂがブランケット胴４に対向させて用紙２に対してニップを開放した状態にして電磁クラッチをＯＦＦにする。この状態で駆動モータ７ｅをゆっくり駆動させて版胴３の版を交換する。このときの用紙２は他の印刷ユニット１ａ，１ｂによる印刷により間欠送りされているが、第３の印刷ユニット１ｃでは圧胴５の小径部５ｂにてニップが開放されているのでこの第３の印刷ユニット１ｃの版交換作業は他の印刷ユニット１ａ，１ｂによる印刷作動の邪魔にならない。
【００１８】
第３の印刷ユニット１ｃの上記のようにしての版交換終了後は、圧胴５との回転方向の位相が合う位置にブランケット胴４の回転位相を戻して電磁クラッチ１３をＯＮにしてこの第３の印刷ユニット１ｃを他の印刷ユニット１ａ，１ｂと同期駆動する。
【００１９】
なお、このとき、版交換をした第３の印刷ユニット１ｃにて印刷を開始するには、先ず、圧胴５とブランケット胴４とのニップを開放した状態で、駆動モータ７ｅにて他の印刷ユニット１ａ，１ｂと回転速度と位相を合わせる印刷準備行程を行う。
【００２０】
また、上記実施の形態では、版胴３に転接するブランケット胴４に圧胴５を転接するようにしたオフセット型のバリアブル印刷機の例で示したが、これは版胴に圧胴を直接転接するようにしたオフセット型でないバリアブル印刷機においても適用されることはいうまでもない。
【図面の簡単な説明】
【００２１】
【図１】本発明に係るバリアブル印刷機を示す概略的な構成説明図である。
【図２】印刷ユニットにおける圧胴の連結機構を示す構成説明図である。
【符号の説明】
【００２２】
１ａ，１ｂ，１ｃ…印刷ユニット
２…用紙
３…版胴
４…ブランケット胴
５…圧胴
６ａ，６ｂ…間欠送り装置
７ａ，７ｂ，７ｃ，７ｄ，７ｅ…駆動モータ
８ａ，８ｂ，８ｃ…軸受
９…フレーム
１０，１１，１２，１４…歯車
１３…電磁クラッチ。
【図１】
2005067121.tif 000003
【図２】
2005067121.tif 000004